(57)【特許請求の範囲】
【請求項１】
先端部両側に互いに対向する一対の側壁を有し、各側壁に係止孔が穿設されたタングと、このタングが抜き差しされる挿入孔を前端面に備える中空のバックル本体とからなり、上記バックル本体の上部に目視窓を形成し、バックル本体の内部には、上記タングの差し込みにより外方へ揺動してタングの係止孔に内側から係合する一対の係止片を揺動自在に設け、各係止片に設けられた押圧操作用の操作部をバックル本体の外側に配置し、バックル本体内に組込まれて前後方向にスライド自在に支持されたロック部材をスプリングによって後方に付勢し、そのロック部材に、ロック部材の後方への移動時に前記一対の係止片間に侵入して各係止片の内方向への揺動を阻止するストッパと、ロック部材の上記窓と対向する位置に設けられたピン孔に上端の小径部がスライド自在に挿入され、スプリングによって上方に付勢された段付きのストッパピンとを設け、上記ロック部材をスライド自在に支持する支持台に上記ストッパピンの小径部がスライド自在に嵌る前後方向に長いスライド孔と、一対の係止片間にストッパが侵入する状態でストッパピンの大径部が侵入する切欠きとを設けたバックル。
【発明の詳細な説明】
【０００１】
【発明の属する技術分野】
この発明は、ベルトの両端にそれぞれ固定されるタングと中空のバックル本体とからなるバックルに関するものであり、さらに詳しくは、安全性と信頼性を著しく向上させたバックルに関するものである。
【０００２】
【従来の技術及び解決しようとする課題】
従来より、ベルトのバックルとしては、特開平６−１１３９０９号公報に記載されたものや、実開平７−２７３１４号公報に記載されたものがある。
【０００３】
しかし、特開平６−１１３９０９号公報に記載のバックルは、タングを中空のバックル本体に挿入して、タングとバックル本体を結合したときに、この結合がバックル本体内で行われるため、確実に結合しているか否かが外部から全く分からず、使用者は、タングのバックル本体に対する挿入量や係合時に発生する結合音で、結合しているか否かを判断するしかなかった。
【０００４】
また、実開平７−２７３１４号公報に記載のバックルは、バックル本体がカバー等で何ら覆われておらず、係止片などの結合機構が露出しているので、たしかにタングとバックル本体との結合を目視により確認できるが、結合機構が直接外力を受けるので、作業中にタングとバックル本体との結合が外力により外れ易い、という問題もあった。
【０００５】
そこで、この発明は、バックル本体がカバー等で覆われた中空構造でありながら、タングとバックル本体との結合を客観的に確認でき、しかもタングとバックル本体の結合をロックすることができるようにすることを課題とする。
【０００６】
【課題を解決するための手段】
上記の課題を解決するために、この発明は、先端部両側に互いに対向する一対の側壁を有し、各側壁に係止孔が穿設されたタングと、このタングが抜き差しされる挿入孔を前端面に備える中空のバックル本体とからなり、上記バックル本体の上部に目視窓を形成し、バックル本体の内部には、上記タングの差し込みにより外方へ揺動してタングの係止孔に内側から係合する一対の係止片を揺動自在に設け、各係止片に設けられた押圧操作用の操作部をバックル本体の外側に配置し、バックル本体内に組込まれて前後方向にスライド自在に支持されたロック部材をスプリングによって後方に付勢し、そのロック部材に、ロック部材の後方への移動時に前記一対の係止片間に侵入して各係止片の内方向への揺動を阻止するストッパと、ロック部材の上記窓と対向する位置に設けられたピン孔に上端の小径部がスライド自在に挿入され、スプリングによって上方に付勢された段付きのストッパピンとを設け、上記ロック部材をスライド自在に支持する支持台に上記ストッパピンの小径部がスライド自在に嵌る前後方向に長いスライド孔と、一対の係止片間にストッパが侵入する状態でストッパピンの大径部が侵入する切欠きとを設けてバックルを構成した。
【０００７】
この発明に係るバックルにおいては、バックル本体の係止片がタングの係止孔に係合していないとき、すなわち係止片がタングの側壁に内側から当接しているときには、ロック部材が係止片間へ充分侵入できないので、ロック部材のストッパピンの大径部をバックル本体のスライド孔の切欠きに嵌め入れることができない。つまり、使用者は、スライド孔の切り欠きにストッパピンの大径部が嵌まっているのを、目視窓を通して目視や触診で確認することによって、係止片がタングの係止孔にしっかり係合しているのが客観的に分かる。
【０００８】
また、このバックルは、ロック部材が、係止片に当接し、係止片の内側への揺動を規制して係止片と係止孔との係合をロックすると共に、ロックした状態でロック部材の前後のスライドがストッパピンの大径部とスライド孔の嵌め込みにより固定されるので、タングとバックル本体との係合が非常に外れ難い。
【０００９】
なお、タングとバックル本体の結合を解除するときは、ストッパピンの大径部をスライド孔の切り欠きから外すとともに、このストッパピンの小径部をスライド孔内でスライドさせ、ロック部材をバックル本体内で移動させて、ロック部材と係止片間から抜き出し、その後、操作部を押圧し係止片を内側へ揺動させて、係止片とタングの係止孔から外せば、タングをバックル本体から外すことができる。
【００１０】
【発明の実施の形態】
図１に示すように、バックル１は、中空のバックル本体２と、そのバックル本体２に対して着脱自在に係合されるタング３とから成り、上記バックル本体２はベルト４の一端に連結され、タング３はベルト４の他端に連結される。
【００１１】
図１および図２に示すように、タング３は、先方部分が幅狭に形成され、その先方部分の先端に円弧状の切欠き５が設けられている。また、タング３の先方部分の両側に上方に立ち上がる一対の側壁６が形成され、各側壁６に角形の係止孔７が設けられている。
【００１２】
図２乃至図３に示すように、バックル本体２は、ベース９と、そのベース９上に設けたカバー１１とから成る。カバー１１には四隅にリベット挿入孔４４が形成され、そのリベット挿入孔４４に挿入されたリベット４５の先端はベース９を貫通し、そのリベット４５の先端の加締めによってベース９上にカバー１１が固定されている。
【００１３】
ベース９の上面には一対の固定ピン８が左右に設けられている。一方、カバー１１には、前端壁にタング３の先方部分が抜き差しさせる挿入孔４３が形成され、頂壁の前端部に目視窓４２が設けられている。また、カバー１１の両側壁に貫窓４１が形成されている。
【００１４】
バックル本体２の内部には支持台１０が設けられている。図２に示すように、支持台１０は、前記タング３の抜き差しを案内する一対のガイド片２３を両側に有し、各ガイド片２３の先端部に前記ベース９の上面で支持される脚片２４が設けられ、この脚片２４がベース９とカバー１１とを係合する前記リベット４５で固定されている。
【００１５】
また、支持台１０の後端部は上記ベース９上に設けた固定ピン８によって支持され、上記支持台１０上に突出する固定ピン８の上端の加締めによって支持台１０が固定されている。
【００１６】
支持台１０とベース９との間には、下から順にスライドプレート１２、ガイドプレート１３および係止片１４が組込まれている。
【００１７】
スライドプレート１２には前記固定ピン８が挿入される挿入孔１５が形成されている。挿入孔１５は前後方向に長い長孔から成り、その挿入孔１５に挿入された固定ピン８によってスライドプレート１２は前後方向にスライド自在に支持されている。
【００１８】
上記スライドプレート１２の先端にはタング３の先端に形成された前記切欠き５に嵌合可能な半円形の突出部１６が設けられており、後端中央部には上面側に折り返されたストッパ片１７が曲げ形成されている。
【００１９】
ガイドプレート１３は一対の挿入孔４３を有し、各挿入孔４３に対する固定ピン８の挿入によってガイドプレート１３は非可動に支持されている。ガイドプレート１３の後端部には切欠き４７が形成され、その切欠き４７に上記ストッパ片１７がスライド自在に嵌合されている。
【００２０】
図６に示すように、一対の係止片１４は固定ピン８を中心として回動自在に支持され、その先端には上記タング３の側壁６に形成された係止孔７に内側から係合する係合部１８が設けられている。また、係止片１４の外側には、押圧操作用の操作部１９が形成され、その操作部１９はカバー１１に設けられた前記貫窓４１に臨んでいる。
【００２１】
さらに、係止片１４の後端部にはスライドプレート１２に設けられたストッパ片１７に対して係合可能な受部２０が形成され、その受部２０に対するストッパ片１７の係合によって、係止片１４は外方向に揺動するのが阻止される。
【００２２】
上記係止片１４は、固定ピン８に支持されたねじりコイルばね２１によって外方向に押圧されている。また、ねじりコイルばね２１は、スライドプレート１２に形成されて突片２２に係合されて、スライドプレート１２を前方に押圧している。
【００２３】
図３および図４に示すように、支持台１０には、ロック部材２８が支持されている。ロック部材２８は支持台１０上に設けた上板２６と、支持台１０の下方に設けた下板２７とを前後に配置したガイドピン３１によって連結している。
【００２４】
前記ガイドピン３１は支持台１０の前部中央に形成されて前後方向に長いスライド孔２９内にスライド自在に挿入され、一方、後部ガイドピン３１は支持台１０の後部に設けられた前後方向に長い長孔３０内に挿入されている。長孔３０内にはコの字形のピンガイド３９が組込まれ、そのピンガイド３９内に組込んだ圧縮バネ４０はロック部材２８を後方に押圧している。
【００２５】
図１および図３に示すように、ロック部材２８の下板２７には、貫孔３２が形成され、その貫孔３２内に上方から挿入されるストッパ３３は、その上端内に設けたフランジ３３’と下板２７の上面に係合によって下方に抜け出るのが防止されている。
【００２６】
図６に示すように、上記ストッパ３３は一対の係止片１４が内方向に閉じた状態で保持されているとき、その係止片１４の先端内に当接して後方に移動するのが防止され、上記係止片１４が互いに開くと、その一対の係止片１４間に侵入して、各係止片１４が内方向に揺動するのを防止する。
【００２７】
図３に示すように、ストッパ３３の上面にはピン孔３４が形成されている。ピン孔３４内には段付きのストッパピン３６と、そのストッパピン３６を上方に押圧するスプリング３５とが組込まれている。
【００２８】
ストッパピン３６の上端の小径部３８は支持台１０に形成された前記スライド孔２９から上板２６の先端部に形成された貫孔４８内に挿通されている。
【００２９】
上記ストッパピン３６はロック部材２８の前後方向のスライド時にスライド孔２９に沿って移動し、ロック部材２８のストッパ３３が一対の係止片１４間に挿入する状態が上方に突出して大径部３７がスライド孔２９の中途に設けた切欠き２９’に係合する。
【００３０】
以上のように構成されたバックル本体２は、タング３を挿入する前においては、図６に示すように、係止片１４、１４は、スライドプレート１２のストッパ片１７が受部２０、２０間に後方から侵入することによって、上記係合部１８、１８をねじりコイルバネ２１、２１の付勢に抗して近接させた状態で保持されている。
【００３１】
そして、ロック部材２８は、この係止片１４、１４の係合部１８、１８先端にストッパ３３が前方から当接することによって、圧縮バネ４０の付勢による後方へのスライドが阻止されており、ロック部材２８のストッパピン３６は、図５に示すように、スライド孔２９の前端部に位置している。
【００３２】
この発明に係るバックル１の使用方法を以下に示す。
【００３３】
図７及び図８に示すように、タング３をバックル本体２の挿入孔４３に前方から差し入れると、タング３先端の切り欠き５にスライドプレート１２前端の突出部１６がぴったりと嵌まると共に、タング３に押されて、スライドプレート１２が、ガイドプレート１３でガイドされながら後方へ移動するので、スライドプレート１２のストッパ片１７が、係止片１４、１４の受部２０、２０内を後方へスライドすることとなる。
【００３４】
そして、タング３が所定量差し込まれて、ストッパ片１７が、図８に示すように、係止片１４、１４の受部２０、２０から外れると、係止片１４、１４のそれぞれがねじりコイルバネ２１、２１の付勢によって外方へ回動して図８及び図９に示すように、係止片１４、１４の係合部１８、１８がタング３の側壁６、６の係止孔７、７に係合する。
【００３５】
このとき、ロック部材２８は、圧縮バネ４０による後方への付勢によって、ストッパ３３が、互いに開かれる係止片１４、１４の係合部１８、１８の間へ前方から侵入するので、支持台１０に対して後方へスライドする。そしてストッパ３３がスライド孔２９の中央部の切欠き２９’にきたとき、ストッパピン３６の大径部３７の上部がスライド孔２０の中央部の切欠き２９’から上方へ突出するので、ロック部材２８の後方へのスライドが固定される。
【００３６】
この状態では、ロック部材２８のストッパ３３は、係止片１４、１４の内方側面にぴったり当接して、係止片１４、１４の係合部１８、１８の内側への回動を阻止する。
【００３７】
このように、タング３とバックル本体２とが結合した状態においては、バックル本体２の係止片１４、１４の係合部１８、１８が、タング３の側壁６、６の係止孔７、７にしっかりと係合し、かつ、この係止片１４、１４の係合部１８、１８の内側への回動、すなわち、係止孔７、７から外れる方向への回動が、ロック部材２８のストッパ３３により確実に阻止され、そのうえ、ロック部材２８の前方へのスライド、すなわち係止片１４、１４の内側への回動を許容する方向へのスライドが、ストッパピン３６のスライド孔２９の切欠き２９’への嵌合によって防止されている。
【００３８】
このため、このバックル１はタング３とバックル本体２との結合が強固で外れることがなく、特に高所作業に使用される作業ベルトのバックルとして、非常に安全性と信頼性が高い。
【００３９】
また、カバー１１の目視窓４２を通して、ストッパピン３６のスライド孔２９における位置を見るか、あるいはストッパピン３６の支持台１０からの突出具合を触診することによって、スライド孔２９の中央部の切欠き２９’で上方へ突出していることを確認すれば、タング３とバックル本体２とが確実に結合しているのが客観的に分かるので、従来のように音だけで結合を確認しなければならない、ということがない。
【００４０】
このバックル１は、係止片１４、１４の係合部１８、１８の間に、ロック部材２８のストッパ３３を差し入れるようにしたことより、係合部１８、１８と係止孔７、７との係合が確実に保持されるので、たとえねじりコイルバネ２１、２１が破損して係合部１８、１８の外側への付勢がなくなったとしても、バックル本体２とタング３との結合が外れることがない。
【００４１】
また、このバックル１は、バックル本体２内の支持台１０がタング３を挿入方向へしっかりガイドするので、タング３が差し込み時に左右にブレることなく、係止片１４、１４が、双方ともタング３の係止孔７、７に引っ掛かるようになっている。
【００４２】
さらに、タング３の係止孔７、７に係止片１４、１４を引っ掛けるときには、ロック部材２８のストッパ３３が、圧縮バネ４０により後方へスライドし、係止片１４、１４間に前方から侵入して、係止片１４、１４の係合部１８、１８の外側への回動を補助するので、係止片１４、１４が係止孔７、７に中途半端に係合してしまうということがない。また、タング３のバックル本体２への挿入量が不充分なときは、ねじりコイルバネ２１、２１で前方へ付勢されたスライドプレート１２により、タング３が前方へはじき出されるので、タング３がバックル本体２に中途半端に結合することがない。
【００４３】
次に、タング３とバックル本体２の結合を解除する方法を、図９乃至図１１に基づいて説明する。
【００４４】
図１０に示すように、まずストッパピン３６を人指し指等で下方に押し下げ、ストッパピン３６の大径部３７をスライド孔２９の切欠き２９’から外すと共に、その指でストッパピン３６の小径部３８を圧縮バネ４０の付勢に抗してスライド孔２９内で前方へスライドさせて、ロック部材２８を前方へ移動させる。
【００４５】
そして、ロック部材２８の前方への移動により、ストッパ３３を係止片１４、１４の係合部１８、１８の前方に位置させて、係止片１４、１４の係合部１８、１８を内側へ回動可能として、図１１に示すように、係止片１４、１４の操作部１９、１９を親指と薬指等で内側にそれぞれ押圧する。
【００４６】
すると、図１１に示すように、係止片１４、１４の係合部１８、１８が内側へ回動して、係合部１８、１８とタング３の係止孔７、７との係合が外れるので、タング３が、ねじりコイルバネ２１、２１で前方へ付勢されたスライドプレート１２により、前方へはじき出されて、バックル本体２から外れることとなる。
【００４７】
このように、このバックル１は、タング３をバックル本体２から外す為には、ロック部材２８を、ストッパピン３６を押しながら前方へスライドさせ、かつ、係止片１４、１４の操作部１９、１９を内側へ押しやらなければならない、すなわち、上方向と左右方向から同時に外力を加えなければならないことより、タング３が作業中にバックル本体２から容易に抜け出ることがないので、安全性が非常に高い。
【００４８】
また、このバックルは、３方向から同時に外力を加えなければタング３とバックル本体２の結合を解除できないものの、手の指を効果的に使用すれば、片手で結合を解除することができるし、解除の際に指を要求される動きにもムリがない。
【００４９】
【効果】
この発明に係るバックルは、以上のように構成されていることより、目視窓を通して目視や触診によってタングとバックル本体との結合を客観的に確認できると共に、ロック部材により係止片とタングの係止孔との係合がロックされて、タングとバックル本体が作業中に不意に外れてしまうことがないので、非常に安全性及び信頼性が高い。
【図面の簡単な説明】
【図１】このバックルの実施の一形態を示す正面図
【図２】図１のバックルの分解斜視図
【図３】図１のバックルのＡ−Ａ断面図
【図４】図１のバックルのＢ−Ｂ断面図
【図５】図３のバックルのＣ−Ｃ断面図
【図６】図３のバックルのＤ−Ｄ断面図
【図７】タングのバックル本体への挿入途中を示す断面図
【図８】タングとバックル本体が結合した状態を示す断面図
【図９】図８のバックルのＥ−Ｅ断面図
【図１０】タングのバックル本体からの抜き出しを示す縦断面図
【図１１】タングのバックル本体からの抜き出しを示す横断面図
【符号の説明】
１  バックル
２  バックル本体
３  タング
４  ベルト
５  切欠き
６  側壁
７  係止孔
８  固定ピン
９  ベース
１０  支持台
１１  カバー
１２  スライドプレート
１３  ガイドプレート
１４  係止片
１５  挿入孔
１６  突出部
１７  ストッパ片
１８  係合部
１９  操作部
２０  受部
２１  ねじりコイルばね
２２  突片
２３  ガイド片
２４  脚片
２５  前壁
２６  上板
２７  下板
２８  ロック部材
２９  スライド孔
２９’、４７  切欠き
３０  長孔
３１  ガイドピン
３２、４８  貫孔
３３  ストッパ
３３’  フランジ
３４  ピン孔
３５  スプリング
３６  ストッパピン
３７  大径部
３８  小径部
３９  ピンガイド
４０  圧縮バネ
４１  貫窓
４２  目視窓
４３  挿入孔
４４  リベット挿入孔
４５  リベット
【図１】
0003652766.tif 000002
【図２】
0003652766.tif 000003
【図３】
0003652766.tif 000004
【図４】
0003652766.tif 000005
【図５】
0003652766.tif 000006
【図６】
0003652766.tif 000007
【図７】
0003652766.tif 000008
【図８】
0003652766.tif 000009
【図９】
0003652766.tif 000010
【図１０】
0003652766.tif 000011
【図１１】
0003652766.tif 000012